(57)【要約】【課題】より小さい外力でも精度良く湾曲させることができるとともに曲線切断時における刃部の振動（振れ）を抑えて精度良く曲線切断を行うことができる曲線切断用丸鋸を提供する。【解決手段】曲線切断用丸鋸１００は、曲線切断用丸鋸１００の基部を構成するとともに撓み変形可能な材料を円盤状に形成した台金１０１を備えている。台金１０１の外周部には、径方向外側に向って波状に突出した台座部１０２が形成されており、同台座部１０２に被加工物ＷＫを切断するための切れ刃チップ１０３が設けられている。台金１０１の盤面には、台座部１０２と取付孔１０４との間のリング状の領域に台金１０１の径方向に沿って曲線状に延びるスリット１０５が複数形成されている。スリット１０５は、台金１０１における中心側の端部１０５ａと外周側の端部１０５ｂとが台金１０１における周方向上の位置が互いに異なるように延びる円弧によって構成されている。【選択図】  図１
2013000810.tif 000002
【特許請求の範囲】
【請求項１】
撓み変形可能な材料を円盤状に形成した台金と、
前記台金の外周部に設けられた刃部とを備え、前記台金を湾曲させた状態で回転させることにより被加工物を曲線状に切断可能な曲線切断用丸鋸において、
前記台金における中心より径方向外側部分と前記外周部より径方向内側部分との間に前記台金の径方向に沿って曲線状に延びるスリットを前記台金の周方向に沿って複数形成したことを特徴とする曲線切断用丸鋸。
【請求項２】
請求項１に記載した曲線切断用丸鋸において、
前記スリットは、前記台金の厚さ以下の溝幅に形成されていることを特徴とする曲線切断用丸鋸。
【請求項３】
請求項１または請求項２に記載した曲線切断用丸鋸において、
前記スリットは、前記台金における中心側の端部と前記外周側の端部とが前記台金における互いに異なる周方向上の位置に形成されていることを特徴とする曲線切断用丸鋸。
【請求項４】
請求項３に記載した曲線切断用丸鋸において、
前記スリットは、同スリットの延長線が前記台金の中心を通る円弧状に形成されていることを特徴とする曲線切断用丸鋸。
【請求項５】
請求項３または請求項４に記載した曲線切断用丸鋸において、
前記スリットは、前記台金の外周部側の端部側が前記曲線切断用丸鋸の切断時における回転方向に逆らう方向に向って延びて形成されていることを特徴とする曲線切断用丸鋸。
【請求項６】
請求項１ないし請求項５のうちのいずれか１つ記載した曲線切断用丸鋸において、
前記スリットは、前記台金における前記被加工物への切り込み領域より内側部分に形成されていることを特徴とする曲線切断用丸鋸。
【発明の詳細な説明】
【技術分野】
【０００１】
本発明は、台金を湾曲させた状態で回転させることにより被加工物を曲線状に切断することができる曲線切断用丸鋸に関する。
【背景技術】
【０００２】
従来から、木材や木質系の材料、石膏ボードなどの窯業系の材料、鋼やアルミニウムなどの鉄系金属材料および非鉄系金属系材料、およびＦＲＰやアクリル材などの樹脂系の材料の切断に丸鋸が用いられている。丸鋸は、円盤状に形成された台金の周縁部の全周に亘って鋸状の切れ刃が形成された切断工具である。
【０００３】
一般に、丸鋸は、被加工物の切断時における撓み変形を抑えることによって被加工物を精度良く直線状に切断することができる。しかし、丸鋸の中には、被加工物の切断に丸鋸を積極的に撓み変形させることにより被加工物を曲線状に切断するものがある。例えば、下記特許文献１には、回転する丸鋸の直径上の２点を押圧することにより丸鋸の盤面を湾曲させて被加工物の曲線切断を行う切断加工装置が開示されている。
【先行技術文献】
【特許文献】
【０００４】
【特許文献１】特開２０１０−２６０１６３号公報
【０００５】
しかしながら、このような曲線切断用丸鋸においては、丸鋸の基部である台金の剛性に抗しながら丸鋸を湾曲させるために大きな外力の付与が必要であるため、切断加工装置の構成を複雑化するとともに湾曲可能な弾性変形量の幅が狭く切断可能な曲線の曲率が限定されるという問題があった。このため、上記特許文献１には、丸鋸の盤面を複数の扇状に分割することにより湾曲させ易くした丸鋸も開示されている。しかしながら、丸鋸の盤面を複数の扇状に分割すると、曲線切断時に丸鋸の外周部の刃部が振動（振れる）して切断精度が悪化すると言う問題があった。
【０００６】
本発明は上記問題に対処するためなされたもので、その目的は、より小さい外力でも精度良く湾曲させることができるとともに曲線切断時における刃部の振動（振れ）を抑えて精度良く曲線切断を行うことができる曲線切断用丸鋸を提供することにある。
【発明の概要】
【０００７】
上記目的を達成するため、請求項１に係る本発明の特徴は、撓み変形可能な材料を円盤状に形成した台金と、台金の外周部に設けられた刃部とを備え、台金を湾曲させた状態で回転させることにより被加工物を曲線状に切断可能な曲線切断用丸鋸において、台金における中心より径方向外側部分と外周部より径方向内側部分との間に台金の径方向に沿って曲線状に延びるスリットを台金の周方向に沿って複数形成したことにある。
【０００８】
このように構成した請求項１に係る本発明の特徴によれば、曲線切断用丸鋸においては、曲線切断用丸鋸の基部となる台金に径方向に沿って曲線状に延びるスリットが台金の周方向に沿って複数形成されている。この場合、スリットは、台金における中心より径方向外側部分と外周部より径方向内側部分との間に形成されている。すなわち、曲線切断用丸鋸は、少なくとも台金の最外周部において分割されずに繋がった状態でスリットが形成されている。これにより、より小さい外力でも精度良く湾曲させることができるとともに曲線切断時における刃部の振動（振れ）を抑えて精度良く曲線切断を行うことができる。
【０００９】
また、請求項２に係る本発明の他の特徴は、前記曲線切断用丸鋸において、スリットは、台金の厚さ以下の溝幅に形成されていることにある。
【００１０】
このように構成した請求項２に係る本発明の他の特徴によれば、曲線切断用丸鋸は、スリットは、台金の厚さ以下の溝幅に形成されている。これにより、本発明者らの実験によれば、スリットの溝幅を台金の厚さ以上の幅で形成した曲線切断用丸鋸に比べてより滑らか（換言すれば、連続的）に曲線切断用丸鋸を湾曲させることができることを確認した。
【００１１】
また、請求項３に係る本発明の他の特徴は、前記曲線切断用丸鋸において、スリットは、台金における中心側の端部と外周側の端部とが台金における互いに異なる周方向上の位置に形成されていることにある。
【００１２】
このように構成した請求項３に係る本発明の他の特徴によれば、曲線切断用丸鋸は、スリットにおける台金の中心側端部と外周側端部とが台金における互いに異なる周方向上の位置に形成されている。これにより、本発明者らの実験によれば、曲線切断時において曲線切断用丸鋸を精度良く円錐状に湾曲させることができるとともに精度良く曲線切断を行うことができる。
【００１３】
また、請求項４に係る本発明の他の特徴は、前記曲線切断用丸鋸において、スリットは、同スリットの延長線が前記台金の中心を通る円弧状に形成されていることにある。
【００１４】
このように構成した請求項４に係る本発明の他の特徴によれば、曲線切断用丸鋸は、スリットの延長線が台金の中心を通る円弧状に形成されている。これにより、本発明者らの実験によれば、曲線切断時において曲線切断用丸鋸を精度良く円錐状に湾曲させることができるとともに精度良く曲線切断を行うことができる。
【００１５】
また、請求項５に係る本発明の他の特徴は、前記曲線切断用丸鋸において、スリットは、台金の外周部側の端部側が曲線切断用丸鋸の切断時における回転方向に逆らう方向に向って延びて形成されていることにある。
【００１６】
このように構成した請求項５に係る本発明の他の特徴によれば、曲線切断用丸鋸は、スリットにおける台金の外周部側の端部が曲線切断用丸鋸の切断時における回転方向に逆らう方向に延びて形成されている。これにより、曲線切断によって曲線切断用丸鋸を構成する台金の外周部にき裂が生じた場合であっても、このき裂とスリットとが直ちに繋がることを抑制することができ、曲線切断時における曲線切断用丸鋸の破損を防止することができる。
【００１７】
また、請求項６に係る本発明の他の特徴は、前記曲線切断用丸鋸において、スリットは、台金における前記被加工物への切り込み領域より内側部分に形成されていることにある。
【００１８】
このように構成した請求項６に係る本発明の他の特徴によれば、曲線切断用丸鋸は、スリットは、台金における前記被加工物への切り込み領域より内側部分に形成されている。これにより、本発明者らの実験によれば、曲線切断時において曲線切断用丸鋸の刃部の振動（振れ）を精度良く抑えることができる。
【図面の簡単な説明】
【００１９】
【図１】本発明の一実施形態に係る曲線切断用丸鋸の外観構成を概略的に示す平面図である。
【図２】図１に示す曲線切断用丸鋸の主要部の一部を拡大して示した拡大平面図である。
【図３】図１に示す曲線切断用丸鋸を切断加工装置における保持部に保持させた状態を模式的に示す保持部の断面図である。
【図４】図２に示す保持部によって曲線切断用丸鋸を一方（図示左側）に撓ませた様子を模式的に示す保持部の断面図である。
【図５】図２に示す保持部によって曲線切断用丸鋸を他方（図示右側）に撓ませた様子を模式的に示す保持部の断面図である。
【図６】本発明の変形例に係る曲線切断用丸鋸の外観構成を概略的に示す平面図である。
【発明を実施するための形態】
【００２０】
以下、本発明に係る曲線切断用丸鋸の一実施形態について図面を参照しながら説明する。図１は、本発明に係る曲線切断用丸鋸１００の外観構成を概略的に示す平面図である。また、図２は、曲線切断用丸鋸１００の主要部の一部を拡大して示した拡大平面図である。なお、本明細書において参照する各図は、本発明の理解を容易にするために一部の構成要素を誇張して表わすなど模式的に表している。このため、各構成要素間の寸法や比率などは異なっていることがある。この曲線切断用丸鋸１００は、ＦＲＰ（繊維強化プラスチック）、例えば、ＣＦＲＰ（炭素繊維強化プラスチック）やＧＦＲＰ（ガラス繊維強化プラスチック）などの樹脂系素材からなる被加工物ＷＫを切断するための切断加工装置（図示せず）に保持されて切断工具として用いられるものである。
【００２１】
（曲線切断用丸鋸１００の構成）
曲線切断用丸鋸１００は、台金１０１を備えている。台金１０１は、曲線切断用丸鋸１００の基部なる部分であり、撓み変形可能な材料を円盤状に形成して構成されている。本実施形態においては、台金１０１は、合金工具鋼鋼材の一つであるＳＫＳ材を直径が３０４ｍｍ、板厚が１．５ｍｍに成形して構成されている。なお、台金１０１を構成する材料は、曲線切断用丸鋸１００による切断対象である被加工物ＷＫの材質や切断加工条件によって適宜決定されるものであり、ＳＫＳ材に限定されるものではない。
【００２２】
例えば、台金１０１を構成する材料としては、ＳＫＳ材以外の合金工具鋼鋼材（例えば、ＳＫＤ材、ＳＫＴ材）、炭素工具鋼鋼材（例えば、ＳＫ材）または高速度工具鋼鋼材（例えば、ＳＫＨ材）を用いることができる。また、台金１０１を構成する材料として樹脂材料、具体的には、エンジニアリングプラスチック（例えば、ＰＯＭ樹脂、ＰＢＴ樹脂など）、スーパーエンジニアリングプラスチック（例えば、ＰＥＥＫ樹脂）および熱硬化性樹脂（例えば、ＵＰ樹脂）などを用いることもできる。
【００２３】
この台金１０１の外周部には、径方向外側に向って波状に突出した形状の台座部１０２が複数形成されている。台座部１０２は、後述する切れ刃チップ１０３を保持する部分であり、台金１０１の外周部の全周に亘って等角度間隔で形成されている。本実施形態においては、台座部１０２は、台金１０１の外周部に沿って６０個形成されている。これらの台座部１０２には、切れ刃チップ１０３がそれぞれ設けられている。切れ刃チップ１０３は、被加工物ＷＫを切断するための刃物であり、台座部１０２にロウ付けによって固定されている。この場合、切れ刃チップ１０３は、台座部１０２から台座１０１の径方向外側に突出した状態で設けられる。これにより、本実施形態においては、曲線切断用丸鋸１００の最外周部の直径は３０５ｍｍに形成されている。すなわち、この曲線切断用丸鋸１００は、所謂チップソーと称されるタイプの丸鋸である。この切れ刃チップ１０３は、本発明に係る刃部を構成する。本実施形態においては、切れ刃チップ１０３は、超硬合金材で構成されている。
【００２４】
なお、切れ刃チップ１０３を構成する材料は、前記台金１０１と同様に曲線切断用丸鋸１００による切断対象である被加工物ＷＫの材質や切断加工条件によって適宜決定されるものであり、超硬合金材に限定されるものではない。例えば、切れ刃チップ１０３を構成する材料としては、前記した合金工具鋼鋼材、炭素工具鋼鋼材および高速度工具鋼鋼材の他に、ダイアモンドやサーメットなどを用いることができる。また、本実施形態においては、切れ刃チップ１０３によって本発明に係る刃部を構成した。しかし、本発明に係る刃部は、台金１０１の外周部に形成されていればよい。すなわち、本発明に係る刃部は、台金１０１の外周部に台金１０１と同一素材で同外周部に直接形成された一体型であってもよい。
【００２５】
また、台金１０１の中心部には、複数（本実施形態においては、１１個）の取付孔１０４が形成されている。これらの取付孔１０４は、図３に示すように、曲線切断用丸鋸１００を図示しない切断加工装置のスピンドル（主軸）２０１に取り付けるための貫通孔である。なお、取付孔１０４における中心に形成された最も大径の中心取付孔１０４ａがスピンドル２０１に嵌合する。
【００２６】
台金１０１の盤面には、スリット１０５が形成されている。スリット１０５は、詳しくは図２に示すように、台金１０１を円錐状に湾曲させるための長孔状の貫通孔であり、台金１０１の周方向に沿って複数のスリット１０５が等角度間隔で形成されている。これらのスリット１０５は、台金１０１における台座部１０２と取付孔１０４との間のリング状の領域に台金１０１の径方向に沿って曲線状に延びて形成されている。
【００２７】
より具体的には、スリット１０５は、台金１０１における中心側の端部１０５ａと外周側の端部１０５ｂとが台金１０１における周方向上の位置が互いに異なるように延びる円弧によって構成されている。この場合、スリット１０５は、台金１０１の内側に向って延びる仮想の円弧状の延長線ＥＬが台金１０１の中心Ｏを通る１つの曲率の円弧によって構成されている。本実施形態においては、スリット１０５は、７０ｍｍの半径の円弧によって構成されている。また、この場合、スリット１０５は、台金１０１の外周側が曲線切断用丸鋸１００による切断加工時における回転方向（図示破線矢印）に逆らう方向に向って延びて形成されている。
【００２８】
そして、スリット１０５は、台金１０１における被加工物ＷＫへの切り込み領域より内側部分に形成されている。より具体的には、スリット１０５端部１０５ｂが、曲線切断用丸鋸１００による切断加工時における被加工物ＷＫに対する曲線切断用丸鋸１００の径方向への切り込み深さｚより内側部分に形成されている。本実施形態においては、スリット１０５の端部１０５ｂは、台金１０１の中心Ｏから１２２．５ｍｍの位置に形成されている。一方、スリット１０５の内側の端部１０５ａは、台金１０１の中心Ｏから径方向外側に形成されている。本実施形態においては、スリット１０５の内側の端部１０５ａは、台金１０１の中心から５０ｍｍの位置に形成されている。このスリット１０５の端部１０５ｂは、台金１０１の中心Ｏから径方向外側に形成されていればよく、取付孔１０４および中心取付孔１０４ａに達していてもよい。
【００２９】
また、スリット１０５の溝幅は、台金１０１の厚さ以下の幅で形成されている。本実施形態においては、スリット１０５は、端部１０５ａおよび端部１０５ａが円弧状に形成されるとともに、これらの端部１０５ａから端部１０５ｂまでの溝幅が０．２２ｍｍの均一の幅で形成されている。このスリット１０５は、本実施形態においては、レーザ加工によって成形されるが、他の成型方法、例えばプレス加工によって成形することもできる。
【００３０】
（曲線切断用丸鋸１００の作動）
次に、上記のように構成した曲線切断用丸鋸１００の作動について説明する。この曲線切断用丸鋸１００は、図３に示すように、被加工物ＷＫを曲線状に切断加工するための切断加工装置（図示せず）における保持部２００に保持される。ここで、切断加工装置における曲線切断用丸鋸１００の保持部２００について簡単に説明しておく。
【００３１】
切断加工装置における保持部２００は、被加工物ＷＫを曲線切断するために曲線切断用丸鋸１００を着脱自在に保持する部分であり、スピンドル２０１を備えている。スピンドル２０１は、曲線切断用丸鋸１００を回転駆動させるための鋼製の円筒状回転軸であり、切断加工装置における図示しない電動機によって回転駆動される。このスピンドルにおける図示右側端部には、取付板２０２が設けられている。取付板２０２は、スピンドル２０１に対して曲線切断用丸鋸１００を取り付けるための２枚に板状部材であり、台金１０１の中央部を挟んでネジで固定することにより台金１０１（曲線切断用丸鋸１００）を着脱自在に保持する。
【００３２】
また、スピンドル２０１の筒内には、進退ロッド２０３がスピンドル２０１の軸線方向（図において破線矢印で示す）に沿って摺動しながら往復変位可能に設けられている。進退ロッド２０３は、曲線切断用丸鋸１００をスピンドル２０１の軸線方向に沿って変位させるための鋼製の棒体であり、切断加工装置における図示しない進退ロッド駆動用の電動機によってスピンドル２０１の軸線方向に沿って往復変位する。
【００３３】
この進退ロッド２０３における図示右側端部は、連結ピン２０４によって取付板２０２に連結されている。この場合、スピンドル２０１における図示右側端部には、前記連結ピン２０４に対応する位置にスピンドル２０１の軸線方向に沿って延びる長孔２０１ａが設けられており、連結ピン２０４はこの長孔２０１ａを貫通して進退ロッド２０３と取付板２０２とを連結している。
【００３４】
これにより、進退ロッド２０３がスピンドル２０１内にて同スピンドル２０１の軸線方向に摺動変位することによって取付板２０２がスピンドル２０１の軸線方向に沿って変位する。すなわち、取付板２０２によって保持された曲線切断用丸鋸１００は、進退ロッド２０３のスピンドル２０１の軸線方向の往復変位に応じて同方向に沿って往復変位する。
【００３５】
また、スピンドル２０１における図示右側端部には、取付板２０２の両側に押圧板２０５，２０６が設けられている。押圧板２０５，２０６は、曲線切断用丸鋸１００の台金１０１を円錐状（笠状）に湾曲させるための鋼製の湾曲円盤状部材である。これらの押圧板２０５，２０６における各外周部には、互いの外周部に向ってリング状に突出しあう突出部２０５ａ，２０６ａがそれぞれ形成されている。突出部２０５ａ，２０６ａは、曲線切断用丸鋸１００の台金１０１の盤面を挟むとともに取付板２０２の位置に応じて押圧するための部分であり、その表面が円弧状、換言すれば、断面が半円状にそれぞれ形成されている。
【００３６】
これらの押圧板２０５，２０６のうち、押圧板２０５は、スピンドル２０１の外周面上にネジにより固定されている。一方、押圧板２０６は、スピンドル２０１における図示右側端部に対して着脱自在に嵌合するように構成されており、ロック板２０７がスピンドル２０１における図示右側端部に固定されることによってスピンドル２０１に固定される。ロック板２０７は、押圧板２０６をスピンドル２０１に固定するための板状部材であり、スピンドル２０１における図示右側端部に対してネジ止めにより着脱自在に固定される。
【００３７】
このように構成された切断加工装置における保持部２００に対して、ユーザは曲線切断用丸鋸１００をセットする。具体的には、ユーザは、スピンドル２０１からロック板２０７および押圧板２０６を取り外した状態で曲線切断用丸鋸１００を取付板２０２に保持させた後、押圧板２０６およびロック板２０７をスピンドル２０１に取り付ける。これにより、曲線切断用丸鋸１００を保持部２００に保持させることができる。この場合、曲線切断用丸鋸１００は、台金１０１における盤面が同盤面両側に配置された押圧板２０５，２０６の突出部２０５ａ，２０６ａによって挟まれている。
【００３８】
次に、ユーザは、切断加工装置を操作して被加工物ＷＫの切断加工を開始する。この被加工物ＷＫの切断加工において、切断加工装置は電動機の作動を制御することによりスピンドル２０１を回転駆動させる。これにより、スピンドル２０１に物理的に繋がった取付板２０２、進退ロッド２０３、連結ピン２０４、押厚板２０５，２０６およびロック板２０７が一体的に回転駆動するとともに取付板２０２に保持された曲線切断用丸鋸１００がこれらとともに一体的に回転駆動する。
【００３９】
このように回転駆動された曲線切断用丸鋸１００によって被加工物ＷＫを直線状に切断する場合、切断加工装置は、進退ロッド２０３の位置を固定した状態で保持装置２００と被加工物ＷＫとを直線状に相対変位させる。これにより、被加工物ＷＫに対して平面状の曲線切断用丸鋸１００が直線状に変位するため、被加工物ＷＫは直線状に切断される。
【００４０】
一方、被加工物ＷＫを曲線状に切断する場合においては、切断加工装置は、進退ロッド駆動用の電動機（図示せず）の作動を制御して進退ロッド２０３をスピンドル２０１の軸線方向に沿って前進（図示右側）または後退（図示左側）させる。例えば、図４に示すように、切断加工装置が進退ロッド２０３を前進（図示右側に変位）させた場合においては、曲線切断用丸鋸１００は取付板２０４に保持された台金１０１の中心部分が図示右側に変位する。この場合、台金１０１の盤面における径方向の略中央部分が押圧板２０５，２０６の突出部２０５ａ，２０６ａによって挟まれているため、同部分が押圧板２０６の突出部２０６ａに押し付けられる。
【００４１】
これにより、台金１０１は、図示左側に円錐状に湾曲する。そして、切断加工装置は、台金１０１を湾曲させた状態で保持装置２００と被加工物ＷＫとを曲線状に相対変位させることにより、被加工物ＷＫを曲線状に切断する。この場合、切断加工装置は、円錐状に湾曲した曲線切断用丸鋸１００の切れ刃チップ１０３側の盤面が被加工物ＷＫの表面に対して垂直となるように保持装置２００を傾斜させることにより、被加工物ＷＫの切断断面を垂直にすることができる。なお、被加工物ＷＫの厚さが薄い場合や、被加工物ＷＫの切断面の垂直性が要求されない場合などには、曲線切断用丸鋸１００による曲線切断時において保持装置２００を傾斜させる必要はない。
【００４２】
一方、切断加工装置が進退ロッド２０３を後退（図示左側に変位）させた場合においては、図５に示すように、曲線切断用丸鋸１００は取付板２０４に保持された台金１０１の中心部分が図示左側に変位する。この場合、台金１０１の盤面における径方向の略中央部分が押圧板２０５，２０６の突出部２０５ａ，２０６ａによって挟まれているため、同部分が押圧板２０５の突出部２０５ａに押し付けられる。これにより、台金１０１は、図示右側に円錐状に湾曲する。
【００４３】
このように曲線切断用丸鋸１００の台金１０１を湾曲させる場合においては、台金１０１の盤面に複数のスリット１０５が台金１０１における中心Ｏより径方向外側部分と外周部より径方向内側部分との間の領域に形成されている。これにより、本発明者らの実験によれば、従来の曲線切断用丸鋸に比べて、より小さい外力で精度良く湾曲させることができるとともに曲線切断時における切れ刃チップ１０３の振動（振れ）を抑えて精度良く曲線切断を行うことができる。
【００４４】
そして、被加工物ＷＫに対する曲線切断が終了した場合には、切断加工装置は、進退ロッド２０３を変位可能範囲における中間位置に戻す。これにより、曲線切断用丸鋸１００は、台金１０１が押圧板２０５または押圧板２０６の一方に押し付けられる状態が解消されて平板形状に復帰する。
【００４５】
上記作動説明からも理解できるように、上記実施形態によれば、曲線切断用丸鋸１００においては、曲線切断用丸鋸１００の基部となる台金１０１に径方向に沿って曲線状に延びるスリット１０５が台金１０１の周方向に沿って複数形成されている。この場合、スリット１０５は、台金１０１における中心より径方向外側部分と外周部より径方向内側部分との間に形成されている。すなわち、曲線切断用丸鋸１００は、少なくとも台金１０１の最外周部において分割されずに繋がった状態でスリット１０５が形成されている。これにより、より小さい外力でも精度良く湾曲させることができるとともに曲線切断時における刃部の振動を抑えて精度良く曲線切断を行うことができる。
【００４６】
さらに、本発明の実施にあたっては、上記実施形態に限定されるものではなく、本発明の目的を逸脱しない限りにおいて種々の変更が可能である。
【００４７】
例えば、上記実施形態においては、スリット１０５の溝幅を台金１０１の厚さ以下の幅に形成した。これにより、本発明者らの実験によれば、スリット１０５の溝幅を台金１０１の厚さ以上の幅で形成した曲線切断用丸鋸１００に比べてより滑らか（換言すれば、連続的）に台金１０１を湾曲させることができることを確認した。しかし、スリット１０５の溝幅は、被加工物ＷＫの材質や切断加工条件によって適宜決定されるものであり、必ずしも上記実施形態に限定されるものではない。すなわち、スリット１０５の溝幅を台金１０１の厚さよりも広い幅に形成した場合であっても、従来の曲線切断用丸鋸に比べて台金１０１を湾曲させ易くすることができるとともに切削時における刃部（切れ刃チップ１０３）の振動（振れ）を抑えることができる。
【００４８】
また、上記実施形態においては、スリット１０５は、台金１０１における中心側の端部１０５ａと外周側の端部１０５ｂとが台金１０１における周方向上の位置が互いに異なるように延びる円弧によって構成されている。しかし、スリット１０５は、図６に示すように、台金１０１における中心側の端部１０５ａと外周側の端部１０５ｂとが台金１０１における周方向上の位置が同じ位置となる円弧によって構成することもできる。
【００４９】
また、上記実施形態においては、スリット１０５は、台金１０１の内側に向って延びる仮想の円弧状の延長線ＥＬが台金１０１の中心Ｏを通る円弧によって構成されている。しかし、スリット１０５は、図５に示すように、台金１０１の径方向に沿って曲線状に延びる形状であれば、必ずしも、前記延長線ＥＬが台金１０１の中心Ｏを通る必要はない。
【００５０】
また、上記実施形態においては、スリット１０５は、単一の曲率の円弧で構成した。しかし、スリット１０５は、２つ以上の曲率で変化する円弧を組み合わせた曲線によって構成することもできる。例えば、スリット１０５は、台金の径方向に沿ってＪ字状やＳ字状に形成することもできる。
【００５１】
また、上記実施形態においては、スリット１０５は、台金１０１の外周側が曲線切断用丸鋸１００による切断加工時における回転方向（図示破線矢印）に逆らう方向に向って延びて形成されている。これにより、曲線切断によって台金１０１の外周部にき裂やクラックなどの損傷が生じた場合であっても、これらによるき裂とスリットとが直ちに繋がることを抑制することができ、曲線切断時における曲線切断用丸鋸１００の破損を防止することができる。しかし、スリット１０５は、台金１０１の外周側が曲線切断用丸鋸１００による切断加工時における回転方向と同じ方向に向って延びて形成することも可能である。この場合、スリット１０５における台金１０１の外周部側の端部１０５ｂを同台金１０１の外周部端部から離れた位置に設けることにより、曲線切断時に曲線切断用丸鋸１００が直ちに破損することを防止することができる。
【００５２】
また、上記実施形態においては、スリット１０５は、台金１０１の外周部側の端部１０５ｂが台金１０１における外周部から曲線切断用丸鋸１００の被加工物ＷＫへの切り込み深さｚより内側部分に形成されている。これにより、本発明者らの実験によれば、曲線切断時において曲線切断用丸鋸１００の刃部（切れ刃チップ１０３）の振動（振れ）を精度良く抑えることができる。しかし、スリット１０５における端部１０５ｂの位置は、被加工物ＷＫの材質や切断加工条件によって適宜決定されるものであり、必ずしも上記実施形態に限定されるものではない。すなわち、例えば、曲線切断用丸鋸１００における刃部（切れ刃チップ１０３）の振動（振れ）が小さい場合や、同振動（振れ）が問題とならない場合などには、スリット１０５における端部１０５ｂの位置を台金１０１における外周部から曲線切断用丸鋸１００の被加工物ＷＫへの切り込み深さｚの範囲内まで延ばして形成することもできる。
【符号の説明】
【００５３】
ＷＫ…被加工物、ＥＬ…仮想の円弧、Ｏ…中心、
１００…曲線切断用丸鋸、１０１…台金、１０２…台座部、１０３…切れ刃チップ、１０４…取付孔、中心取付孔１０４ａ、１０５…スリット、１０５ａ，１０５ｂ…端部、
２００…保持部、２０１…スピンドル、２０１ａ…長孔、２０２…取付板、２０３…進退ロッド、２０４…連結ピン、２０５，２０６…押圧板、２０５ａ，２０６ａ…突出部、２０７…ロック板。
【図１】
2013000810.tif 000003
【図２】
2013000810.tif 000004
【図３】
2013000810.tif 000005
【図４】
2013000810.tif 000006
【図５】
2013000810.tif 000007
【図６】
2013000810.tif 000008